(57)【要約】 【課題】  遊技盤の厚みの変動に係わりなく遊技盤前面を常に一定の位置に保持して遊技盤を取付枠に固定することができる遊技盤の固定装置を提供する。【解決手段】  固定装置を、遊技盤２を前方に押圧する弾性部材３と、遊技盤２を後方に押圧するクランプ４とにより構成する。クランプ４は、取付枠１の支軸５３に軸着されて遊技盤前面に当接されるクランプレバー５と、クランプレバー５の一端の回動軸５４に軸着され、クランプレバー５の後方に垂直状に突出するレバーアーム６３を備えたレバー本体６とからなる。レバーアーム６３が水平状となってその先端が背板１１に当接されることにより、クランプレバー５は垂直状に位置決めされるので、遊技盤２の厚みの変動を弾性部材３が吸収することができる。【選択図】    図４
2006130214.tif 000002
【特許請求の範囲】
【請求項１】
取付枠に固定されて遊技盤をその裏面から前方に押圧する弾性部材と、遊技盤をその前面から後方に押圧して前記弾性部材とで遊技盤を固定するクランプとからなることを特徴とする遊技盤の固定装置。
【請求項２】
クランプは、取付枠の支軸に回動自在に軸着されて遊技盤前面に当接されるクランプレバーと、このクランプレバーの一端の回動軸に軸着されたレバー本体とからなり、レバー本体は、クランプレバーと対向する操作板と、この操作板の一端からクランプレバーの後方に垂直状に突出しその先端が取付枠の背板上を摺動可能なレバーアームと、前記回動軸に装着されてレバーアームをクランプレバーから角拡する方向に付勢するバネ部材とからなることを特徴とする請求項１に記載の遊技盤の固定装置。
【請求項３】
クランプは、レバーアームが水平状となってその先端が背板に当接されることにより、レバーアームがクランプレバーを垂直状に位置決めして、遊技盤を固定するものであることを特徴とする請求項２に記載の遊技盤の固定装置。
【請求項４】
背板に、レバーアームの回動を水平状態で停止するためのストッパーを設けたことを特徴とする請求項２又は３に記載の遊技盤の固定装置。
【請求項５】
レバーアームの先端に、背板との摩擦抵抗を低減するためのローラ、スライダー等の当接手段を設けたことを特徴とする請求項２〜４の何れかに記載の遊技盤の固定装置。
【請求項６】
背板に、遊技盤固定前のレバーアーム先端の移動抵抗となる隆起を設けたことを特徴とする請求項５に記載の遊技盤の固定装置。
【請求項７】
クランプレバーは、主板と主板の左右に設けられた縦板とからなり、その縦板の中間部が取付枠に軸着されており、レバー本体は、操作板と操作板の左右に立設された側板と側板から垂直状に延出するレバーアームとからなり、そのレバーアームの延出基部がクランプレバーの一端に軸着されていることを特徴とする請求項２〜６の何れかに記載の遊技盤の固定装置。
【請求項８】
取付枠の上下コーナー部にそれぞれ弾性片とクランプとを配設したうえに、クランプのレバーアームを連結杆で連結して二つのクランプを一体に連動するものとしたことを特徴とする請求項２〜７の何れかに記載の遊技盤の固定装置。
【請求項９】
連結杆に、操作を容易に行うための操作部を設けたことを特徴とする請求項８に記載の遊技盤の固定装置。
【請求項１０】
上下二つのクランプのうち、少なくとも一方のレバー本体における操作板と側板とを省略したことを特徴とする請求項８又は９に記載の遊技盤の固定装置。
【請求項１１】
連結杆に作動用部材を係合させて、連結杆の操作を電動式又はリモコン式で行うようにしたことを特徴とする請求項８〜１０の何れかに記載の遊技盤の固定装置。
【発明の詳細な説明】
【技術分野】
【０００１】
本発明は、パチンコ機における遊技盤を取付枠に固定するための遊技盤の固定装置に関するものである。
【背景技術】
【０００２】
パチンコ機の遊技盤の固定装置として、例えば特許文献１に開示されているようなものがある。当該開示に係る遊技盤の固定装置は、遊技盤取付枠の後面に係止孔を開設すると共に、遊技盤の背面に装着される機構板に前記係止孔に対応位置して遊技盤固定用締付具を設け、該遊技盤固定用締付具は、底部が開口した枠部材と、該枠部材内に回動自在に軸支するレバー部材とからなり、枠部材に係止部を設け、レバー部材に前記開口から臨む係止片と前記係止部に係合する係合部を形成し、レバー部材の回動により係合部を係止部に係合すると共に、係止片を前記係止孔に係合するようにしたことを特徴とするものである。
【０００３】
しかしながら、上記したような従来の遊技盤の固定装置は、遊技盤の裏面を取付枠に当接したうえでこの遊技盤を固定する方式のものであった。従って、遊技盤の厚みに変動が生じた場合には、遊技を行う盤面が打球発射口に対して正しく位置せずに、遊技盤内に打球を打ち込むに際して支障が生ずるという問題があった。
【特許文献１】特開２０００−８４２１０号公報  (図４)
【発明の開示】
【発明が解決しようとする課題】
【０００４】
本発明は上記した従来の問題点を解決して、遊技盤の厚みの変動に係わりなく遊技盤面を常に一定の位置に保持して遊技盤を取付枠に固定することができる遊技盤の固定装置を提供するためになされたものである。
【課題を解決するための手段】
【０００５】
上記の課題を解決するためになされた本発明の遊技盤の固定装置は、取付枠に固定されて遊技盤をその裏面から前方に押圧する弾性部材と、遊技盤をその前面から後方に押圧して前記弾性部材とで遊技盤を固定するクランプとからなることを特徴とするものである。
【０００６】
上記クランプは、取付枠に設けた支軸に回動自在に軸着されて遊技盤前面に当接されるクランプレバーと、このクランプレバーの一端の回動軸に軸着されたレバー本体とからなり、レバー本体は、クランプレバーと対向する操作板と、この操作板の一端からクランプレバーの後方に垂直状に突出しその先端が取付枠の背板上を摺動可能なレバーアームと、前記回動軸に装着されてレバーアームをクランプレバーから角拡する方向に付勢するバネ部材とからなることを特徴とするものであり、当該クランプは、レバーアームが水平状となってその先端が背板に当接されることにより、レバーアームがクランプレバーを垂直状に位置決めして、遊技盤を固定することができる。
【０００７】
なお、背板に、レバーアームの回動を水平状態で停止するためのストッパーを設けることができ、レバーアームの先端に、背板との摩擦抵抗を低減するためのローラ、スライダー等の当接手段を設けることができ、また、背板に、遊技盤固定前のレバーアーム先端の移動抵抗となる隆起を設けることができる。また、クランプレバーは、主板と主板の左右に設けられた縦板とからなり、その縦板の中間部が取付枠に軸着されており、レバー本体は、操作板と操作板の左右に立設された側板と側板から垂直状に延出するレバーアームとからなり、そのレバーアームの延出基部がクランプレバーの一端に軸着されているものとすることができる。
【０００８】
さらに、取付枠の上下コーナー部にそれぞれ弾性片とクランプとを配設したうえに、クランプのレバーアームを連結杆で連結して二つのクランプを一体に連動させることができ、その連結杆に、操作を容易に行うための操作部を設けることができ、上下二つのクランプのうち、少なくとも一方のレバー本体における操作板と側板とを省略することができる。また、連結杆に作動用部材を係合させて、連結杆の操作を電動式又はリモコン式で行うようにすることができる。
【発明の効果】
【０００９】
本発明の遊技板の固定装置は、遊技盤を弾性部材によって裏面から前方に押圧するとともに、回動された時に常に一定位置に制止させることができるクランプにて、その遊技盤を押圧するようにしたので、遊技盤の厚みに変動があった時には弾性部材がその変動を吸収する。よって、遊技盤前面の位置を常に一定にして遊技盤を取付枠に固定することができる。
【発明を実施するための最良の形態】
【００１０】
以下に図面を参照しつつ本発明の好ましい実施形態を説明する。図１１、１２は、本発明の固定装置を備えた遊技機の正面図と平面図であって、遊技機左方の上下には遊技盤２を挟むための前側押え１５と、弾性体である後側押え１６とが設けられていて、これらの間に差し込まれた遊技盤２の端部を挟持する。そして、遊技機の右方の上下には本発明の固定装置が配設され、４はその要部をなすクランプである。
【００１１】
そして、図１、２は、当該固定装置が遊技盤２を固定する前の状態を示す図であって、１は遊技盤２の取付枠、３は取付枠１の背板１１に螺着された弾性片である。
クランプ４は、クランプレバー５とレバー本体６とを有する。クランプレバー５は、主板５１と主板５１の左右に設けられた縦板５２とからなり、縦板５２の中間部が取付枠１の縦枠板１２に設けた支軸５３に回動自在に軸着されている。レバー本体６は、操作板６１と操作板６１の左右に立設されたＬ字形の側板６２とからなり、Ｌ字形に延出する部分はレバーアーム６３を構成している。レバーアーム６３の先端には取付枠１の背板１１上を転動するローラ６４がローラ軸６５に装着されている。このローラ６４は、レバーアーム６３の先端が背板１１上を摺動するときの摩擦抵抗を減少させるものである。なお、ローラ６４に替えてそり状のスライダー等の当接手段を用いることができる。
【００１２】
そして、クランプレバー５の縦板５２の一端には回動軸５４が設けられ、この回動軸５４には、側板６２から垂直状に折れ曲がって形成されたレバーアーム６３の延出基部６６が軸着されて、レバー本体６は回動自在にクランプレバー５の一端に取付けられている。回動軸５４にはバネ部材６７が装着されており、このバネ部材６７は一端がレバーアーム６３に設けた係止部６８に係止され他端が主板５１の一端の裏側に係止されていて、レバーアーム６３をクランプレバー５から角開する方向に（レバーアーム６３とクランプレバー５とのなす角を開く方向に）付勢している。クランプレバー５とレバー本体６とが組み合わされた図示の状態においては、バネ部材６７の付勢により側板６２が支軸５３に当接されて、操作板６１と主板５１とは略平行状態となって対向しているとともに、レバーアーム６３が主板５１に対して垂直状に主板５１の後方に突出している。なお、背板１１には、遊技盤固定前のレバーアーム先端が移動するときの抵抗となる隆起１７が設けられている。隆起１７は、特にクランプ４が上下逆向きに軸着されたときにレバーアーム６３の先端が下方に垂れるのを阻止するのに有効である。
【００１３】
以上のように構成された遊技機の固定装置において、遊技盤２を取付枠１に固定するには、図３に示すように、先ず遊技盤２を弾性片３に当接させる。次いで、クランプレバー５の先端を下方に押し下げると、操作板６１が主板５１から乖離してレバー本体６が上方に持ち上げられる。バネ部材６７はレバーアーム６３を背板１１の方向に付勢してローラ６４を背板１１に当接させているので、レバー本体６が上昇中はバネ部材６７が主板５１とレバーアーム６３とのなす角度を鋭角にし、主板５１と操作板６１とのなす角度を拡大する方向に調整することによって、ローラ６４は背板１１上を上方に転動することができる。
【００１４】
そして、ローラ６４がある臨界位置を越えるとバネ部材６７の付勢によりレバーアーム６３は上方に弾発されるが、側板６２が支軸５３に当接されるので、図４に示すようにレバーアーム６３は水平状態となって回動を停止される。これによって、回動軸５４につながるクランプレバー５の主板５１は垂直状態となり、その下半部が遊技盤前面を押さえつけることができる。
【００１５】
このクランプ４全体がＬ字形にセットされた状態では、弾性片３の付勢により遊技盤２がクランプレバー５下端を前方に押圧しても、クランプレバー５上端は、水平状のレバーアーム６３を回動軸５４を介して背板方向の水平に押圧するのみである。しかし、レバーアーム６３の先端は背板１１に当接されているのでクランプレバー５上端は背板１１の方向に移動することはできない。また、レバーアーム６３の先端には下向きの力が作用せず、クランプレバー５の主板５１は、水平状のレバーアーム６３によって垂直状に確実に位置決めされているので、遊技盤２の押圧力が作用しても回動したりすることなく、一定の位置にて遊技盤前面を押さえつけることができる。
【００１６】
なお、図４に示すように、ローラ軸６５の中心を回動軸５４の中心よりやや水平上方に位置するように設定してある。このことと、レバーアーム６３がバネ部材６７により上方へ付勢されていることによりクランプレバー５に遊技盤２側からの強い押圧力がかかってもレバーアーム６３が下方に回動して緩むことは決してない。よって、遊技盤前面をクランプレバー５の先端部で定位置に正しく固定することができる。遊技盤２の厚みが変動したときには弾性片３のたわみによってその厚みの変動を吸収することができるので、取付け後は常に遊技盤前面を背板１１から一定の高さに保持することができる。
【００１７】
なお、レバーアーム６３が水平状に位置する上方には、横枠板であるストッパー１３を設けてあるので、レバーアーム６３の回動を確実に水平状態で停止させることができる。
【００１８】
遊技盤２を交換する時には、操作板６１を手前に引くことによって、レバーアーム６３の先端には下方に回動する力が作用する。クランプレバー５とレバー本体６とは図３に示すような状態となって、ローラ６４が背板１１上を下方に転動可能となるので、バネ部材６７の弾発力によりクランプ４を瞬時に元の図１の状態に戻すことができる。よって、遊技盤２の交換が可能となる。
【００１９】
以上のような弾性部材３とクランプ４とは、図５に示すように取付枠１の上下コーナーに二つのクランプ４を同じ方向に向けて（図では下向き）配設することができるし、また、図６に示すように、二つのクランプ４を相互に対向させて配設することもできるし、また、相互に逆向きとすることもできる。
【００２０】
また、二つのクランプ４を同じ方向に向けて配設した場合には、図７〜９に示すように、二つのクランプ４のローラ軸６４を連結杆７にて接続すれば、上方または下方のクランプ４を操作することによって二つのクランプ４を一体に連動させることができるので、遊技盤の装着を容易に行うことができる。なお、図示のように、下方のクランプ４のレバー部材６においては操作板６１と側板６２とを省略して、レバーアーム６３のみが回動軸５４に軸着されたものとすることができる。また、図１０に示すように、連結杆７に操作部７１を設けることによっても、この操作部７１を操作することにより遊技盤２の着脱をより容易に行うことができる。この形態のクランプ４においては、上下いずれのレバー部材６においても操作板６１と側板６２とが省略されているが、レバーアーム６３を水平状態で回動を停止させるストッパー１３が必要となる。
【００２１】
さらに、図１３に示すように、連結杆７に作動用部材を係合させて、連結杆７の操作を電動式又はリモコン式で行うようにすることができる。図示の作動用部材は、ラックギア７２とピニオンギア７３とからなり、モータＭの回転を直線運動に変換して連結杆７を上下動するようにしたものである。これによって、特に遊技盤を取り外すときにスイッチ（図示していない）を入れさえすれば、図１４、１５に示すように連結杆７が引き下げられてクランプ４による遊技盤２の押圧が解除されるので、遊技盤２を容易に交換することができる。
【００２２】
以上説明したように、本発明の遊技板の固定装置は、回動された時に常に垂直状の一定位置に保持させることができるクランプレバーにて、弾性部材により前方に押圧されている遊技盤を押え付けるようにしたので、遊技盤の厚みの変動に左右されずに遊技盤前面の位置を常に一定にして取付枠に固定することができるという大きな利点を有する。
【図面の簡単な説明】
【００２３】
【図１】遊技盤を固定前の本発明に係る固定装置の正面図である。
【図２】図１に示す固定装置の平面図である。
【図３】遊技盤を固定中の固定装置を示す正面図である。
【図４】遊技盤を固定した状態の固定装置を示す正面図である。
【図５】上下二つのクランプを同一方向に向けて配設した固定装置の正面図である。
【図６】上下二つのクランプを対向させて配設した固定装置の正面図である。
【図７】二つのクランプを連結杆で接続した固定装置の遊技盤固定前の状態を示す正面図である。
【図８】図７の固定装置が遊技盤固定中である状態を示す正面図である。
【図９】図７の固定装置が遊技盤固定後である状態を示す正面図である。
【図１０】連結杆に操作部を設けた固定装置の正面図である。
【図１１】本発明の固定装置を備えた遊技機の正面図である。
【図１２】図１１の遊技機の平面図である。
【図１３】電動式の連結杆を備えた固定装置の遊技盤押圧後の状態を示す正面図である。
【図１４】図１３の固定装置が押圧解除中である状態を示す正面図である。
【図１５】図１３の固定装置が押圧解除後である状態を示す正面図である。
【符号の説明】
【００２４】
１  取付枠、２  遊技盤、３  弾性片、４  クランプ、５  クランプレバー、６  レバー本体、１１  背板、１２  縦枠板、１３  ストッパー、１５  前側押え、１６  後側押え、１７  隆起、５１  主板、５２  縦板、５３  支軸、５４  回動軸、６１  操作板、６２  側板、６３  レバーアーム、６４  ローラ、６５  ローラ軸、６６  レバーアームの延出基部、６７  バネ部材、６８  係止部、６９  側板の縁部、７  連結杆、７１  操作部、７２  ラックギア、７３  ピニオンギア。
【図１】
2006130214.tif 000003
【図２】
2006130214.tif 000004
【図３】
2006130214.tif 000005
【図４】
2006130214.tif 000006
【図５】
2006130214.tif 000007
【図６】
2006130214.tif 000008
【図７】
2006130214.tif 000009
【図８】
2006130214.tif 000010
【図９】
2006130214.tif 000011
【図１０】
2006130214.tif 000012
【図１１】
2006130214.tif 000013
【図１２】
2006130214.tif 000014
【図１３】
2006130214.tif 000015
【図１４】
2006130214.tif 000016
【図１５】
2006130214.tif 000017